(57)【要約】【課題】ウォブル検出装置において、ウォブル信号およびウォブル付帯情報をより正確に検出することが可能な差信号を得られるようにする。【解決手段】それぞれに入力された第１の信号、および第２の信号のブースト量を調整するブースト回路１０１・１０２を設け、ブースト回路１０１・１０２でブースト量が調整された第１の信号、および第２の信号の振幅をそれぞれ正規化する自動利得調整部１０３・１０４を設ける。そして、差信号生成部１０５で、自動利得調整部１０３・１０４によって正規化された後の前記第１の信号と前記第２の信号との差信号を生成する。【選択図】図１
2007164869.tif 000002
【特許請求の範囲】
【請求項１】
光ディスクのトラックに光ビームが照射された際に、前記トラックの一方の側端部からの第１の反射光から得られた第１の信号、および前記トラックの他方の側端部からの第２の反射光から得られた第２の信号が入力され、入力された前記第１の信号、および前記第２の信号に基づいてウォブル信号を検出するウォブル検出装置であって、
入力された前記第１の信号、および前記第２の信号のそれぞれの振幅を正規化する利得調整部と、
前記正規化がされた後の前記第１の信号と前記正規化がされた後の前記第２の信号との差信号を生成する差信号生成部と、
入力された前記第１の信号が前記差信号生成部に至るまでの経路、および入力された前記第２の信号が前記差信号生成部に至るまでの経路のうちの少なくとも一方の経路上に介在して、前記第１の信号、および前記第２の信号のうちの少なくとも一方の信号のブースト量を調整するブースト回路と、
を備えたことを特徴とするウォブル検出装置。
【請求項２】
請求項１のウォブル検出装置であって、
前記ブースト回路は、前記第１の信号が前記利得調整部から前記差信号生成部に至るまでの経路、および前記第２の信号が前記利得調整部から前記差信号生成部に至るまでの経路のうちの少なくとも一方の経路上に介在して、前記第１の信号、および前記第２の信号のうちの少なくとも一方の信号のブースト量を調整するように構成されていることを特徴とするウォブル検出装置。
【請求項３】
請求項１のウォブル検出装置であって、さらに、
前記ウォブル信号以外で、前記差信号に含まれる信号成分の振幅を検出する振幅検出部と、
前記振幅検出部が検出した前記振幅に応じて、前記ブースト回路が調整するブースト量を決定するブースト量調整部とを備え、
前記ブースト回路は、前記ブースト量調整部が決定したブースト量で、前記調整を行うように構成されていることを特徴とするウォブル検出装置。
【請求項４】
請求項１のウォブル検出装置であって、さらに、
前記利得調整部が正規化した前記第１の信号に含まれるウォブル信号以外の信号成分と前記ウォブル信号以外で前記第２の信号に含まれる信号成分との位相差を検出する位相差検出部と、
前記位相差検出部が検出した前記位相差に応じて、前記ブースト回路が調整するブースト量を決定するブースト量調整部とを備え、
前記ブースト回路は、前記ブースト量調整部が決定したブースト量で、前記調整を行うように構成されていることを特徴とするウォブル検出装置。
【請求項５】
請求項４のウォブル検出装置であって、
前記位相差検出部は、読み出し専用光ディスクを再生する装置において、トラッキング制御に用いられる位相差検出部と兼用されていることを特徴とするウォブル検出装置。
【請求項６】
請求項１のウォブル検出装置であって、さらに、
入力された前記第１の信号に含まれるウォブル信号以外の信号成分と入力された前記第２の信号に含まれるウォブル信号以外の信号成分との位相差を検出する位相差検出部と、
前記位相差検出部が検出した前記位相差に応じて、前記ブースト回路が調整するブースト量を決定するブースト量調整部とを備え、
前記ブースト回路は、前記ブースト量調整部が決定したブースト量で、前記調整を行うように構成されていることを特徴とするウォブル検出装置。
【請求項７】
請求項４および請求項６のうちの何れか１項のウォブル検出装置であって、
前記位相差検出部は、前記ウォブル信号以外の前記差信号に含まれる信号成分の振幅に応じ、位相検出レベルを変更できるように構成されていることを特徴とするウォブル検出装置。
【発明の詳細な説明】
【技術分野】
【０００１】
本発明は、ウォブル信号およびウォブル付帯情報が形成された光ディスクにデータを記録、または前記光ディスクからデータを再生する光ディスク装置において、前記光ディスクから読み出した信号よりウォブル信号およびウォブル付帯情報を検出するウォブル検出装置に関するものである。
【背景技術】
【０００２】
一般に、記録可能な光ディスクには、図９に示すように、データ記録再生時に光スポットをガイドする為の案内溝（グルーブ）が形成され、データはこの案内溝に沿って記録される。
【０００３】
前記の案内溝は、特定の周波数でウォブリングされ、光ディスクの回転数を制御するための基準クロック信号の基になるウォブル信号の生成に使用される。また、例えばＤＶＤ＋ＲやＤＶＤ＋ＲＷでは、通常のウォブル信号と、通常のウォブル信号の位相を１８０度反転させた信号との組み合わせでＡＤＩＰ（Ａｄｄｒｅｓｓ  Ｉｎ  Ｐｒｅ−Ｇｒｏｏｖｅ）というアドレス情報（ウォブル付帯情報）が形成されている。
【０００４】
ウォブル信号およびウォブル付帯情報を検出する方法としては、光ディスクのトラックに光ビームを照射した際に、トラックの一方の側端部からの第１の反射光から得られた第１の信号（以下、ＴＥ＋と記載する）、および前記トラックの他方の側端部からの第２の反射光から得られた第２の信号（以下、ＴＥ−と記載する）をそれぞれ増幅器に通した後、増幅された信号同士の差信号を生成して、ウォブル信号およびウォブル付帯情報を検出する方法が広く採用されている。すなわち、ＴＥ＋とＴＥ−とには、ピット情報を含むＲＦ信号とウォブル信号の双方が含まれているが、差信号を生成することで同相成分であるＲＦ信号は除去されてウォブル信号だけが検出される。
【０００５】
しかし、実際の光ディスク装置では、差信号を生成する際に、光ピックアップから差信号生成部（差信号を生成する回路）までの経路において、ＴＥ＋とＴＥ−との振幅差、あるいはそれらのばらつきを生じる場合がある。その場合は、差信号のＲＦ残留成分が大きくなり、ＲＦ残留成分は、ウォブルの信号品質劣化および付帯情報検出率低下の要因となる。
【０００６】
そのため、光ディスク装置において、上記の方法を実現するウォブル検出装置には、ＴＥ＋とＴＥ−との差信号を生成する前に、自動利得調整部（ＡＧＣ）を設けて、ＲＦ信号の振幅を一定にした後に、差信号を生成するように構成されたものある（例えば特許文献１を参照）。このウォブル検出装置によれば、ウォブル信号およびウォブル付帯情報を精度よく検出することが可能な差信号を得ることができる。
【特許文献１】特開２００５−１５８１０８号公報
【発明の開示】
【発明が解決しようとする課題】
【０００７】
しかしながら、前記自動利得調整部（ＡＧＣ）で調整できるのは、当然ながら振幅のみなので、ＴＥ＋とＴＥ−とに遅延差がある場合には、差信号を求めてもＲＦ信号成分を完全には除去できない。すなわち、上記のウォブル検出装置では、ＴＥ＋とＴＥ−とに遅延差がある場合に、差信号に依然ＲＦ信号成分が残留するという問題がある。
【０００８】
これに対しては、差信号に対するフィルタ処理等でＲＦ残留成分を除去することが考えられる。しかし、例えばＤＶＤ＋ＲやＤＶＤ＋ＲＷなどのウォブル信号成分は、基本周波数が８１７ｋＨｚであり（他のＤＶＤ記録用光ディスクの約６倍の周波数）、ＲＦ信号成分の周波数帯域に近接しているので、前記のフィルタ処理等では、ＲＦ残留成分を除去することが困難である。このため、ウォブル信号品質劣化やウォブル付帯情報検出率低下を招くことになる。
【０００９】
本発明は、前記の問題に着目してなされたものであり、ウォブル信号およびウォブル付帯情報をより正確に検出することができるウォブル検出装置を提供することを目的としている。
【課題を解決するための手段】
【００１０】
前記の課題を解決するため、請求項１の発明は、
光ディスクのトラックに光ビームが照射された際に、前記トラックの一方の側端部からの第１の反射光から得られた第１の信号、および前記トラックの他方の側端部からの第２の反射光から得られた第２の信号が入力され、入力された前記第１の信号、および前記第２の信号に基づいてウォブル信号を検出するウォブル検出装置であって、
入力された前記第１の信号、および前記第２の信号のそれぞれの振幅を正規化する利得調整部と、
前記正規化がされた後の前記第１の信号と前記正規化がされた後の前記第２の信号との差信号を生成する差信号生成部と、
入力された前記第１の信号が前記差信号生成部に至るまでの経路、および入力された前記第２の信号が前記差信号生成部に至るまでの経路のうちの少なくとも一方の経路上に介在して、前記第１の信号、および前記第２の信号のうちの少なくとも一方の信号のブースト量を調整するブースト回路と、
を備えたことを特徴とする。
【００１１】
これにより、ブースト回路にてＴＥ＋とＴＥ−のブースト量が調整されて、差信号の残留ＲＦ信号を低減する。
【００１２】
また、請求項２の発明は、
請求項１のウォブル検出装置であって、
前記ブースト回路は、前記第１の信号が前記利得調整部から前記差信号生成部に至るまでの経路、および前記第２の信号が前記利得調整部から前記差信号生成部に至るまでの経路のうちの少なくとも一方の経路上に介在して、前記第１の信号、および前記第２の信号のうちの少なくとも一方の信号のブースト量を調整するように構成されていることを特徴とする。
【００１３】
これにより、利得調整部の周波数特性も含めてブースト量が調整される。
【００１４】
また、請求項３の発明は、
請求項１のウォブル検出装置であって、さらに、
前記ウォブル信号以外で、前記差信号に含まれる信号成分の振幅を検出する振幅検出部と、
前記振幅検出部が検出した前記振幅に応じて、前記ブースト回路が調整するブースト量を決定するブースト量調整部とを備え、
前記ブースト回路は、前記ブースト量調整部が決定したブースト量で、前記調整を行うように構成されていることを特徴とする。
【００１５】
これにより、差信号に含まれるウォブル信号以外の信号成分の振幅に応じて、ブースト回路におけるブースト量が決定されるので、固体差や動作状態に応じた適切なブースト量に調整される。
【００１６】
また、請求項４の発明は、
請求項１のウォブル検出装置であって、さらに、
前記利得調整部が正規化した前記第１の信号に含まれるウォブル信号以外の信号成分と前記ウォブル信号以外で前記第２の信号に含まれる信号成分との位相差を検出する位相差検出部と、
前記位相差検出部が検出した前記位相差に応じて、前記ブースト回路が調整するブースト量を決定するブースト量調整部とを備え、
前記ブースト回路は、前記ブースト量調整部が決定したブースト量で、前記調整を行うように構成されていることを特徴とする。
【００１７】
これにより、正規化された前記第１の信号に含まれるウォブル信号以外の信号成分と、正規化された前記第２の信号に含まれるウォブル信号以外の信号成分との位相差に応じて、最適なブースト量が決定される。それゆえ、個体差や動作状態に応じた適切なブースト量に調整される。
【００１８】
また、請求項５の発明は、
請求項４のウォブル検出装置であって、
前記位相差検出部は、読み出し専用光ディスクを再生する装置において、トラッキング制御に用いられる位相差検出部と兼用されていることを特徴とする。
【００１９】
これにより、位相差検出部が、読み出し専用光ディスクを再生する装置においてトラッキング制御に用いられる位相差検出部と兼用されるので、ウォブル検出装置をより安価に実現できる。
【００２０】
また、請求項６の発明は、
請求項１のウォブル検出装置であって、さらに、
入力された前記第１の信号に含まれるウォブル信号以外の信号成分と入力された前記第２の信号に含まれるウォブル信号以外の信号成分との位相差を検出する位相差検出部と、
前記位相差検出部が検出した前記位相差に応じて、前記ブースト回路が調整するブースト量を決定するブースト量調整部とを備え、
前記ブースト回路は、前記ブースト量調整部が決定したブースト量で、前記調整を行うように構成されていることを特徴とする。
【００２１】
これにより、入力された第１・第２の信号の位相差が検出されてブースト量が調整されるので、正規化された後の第１・第２の信号の位相差を検出する場合に比べ、より安価にウォブル検出装置を実現できる。
【００２２】
また、請求項７の発明は、
請求項４および請求項６のうちの何れか１項のウォブル検出装置であって、
前記位相差検出部は、前記ウォブル信号以外の前記差信号に含まれる信号成分の振幅に応じ、位相検出レベルを変更できるように構成されていることを特徴とする。
【００２３】
これにより、ウォブル信号以外の前記差信号に含まれる信号成分の振幅に基づいて位相差が検出されるので、最適な位相検出を実現できる。
【発明の効果】
【００２４】
本発明によれば、入力された前記第１の信号と前記第２の信号との遅延差が調整されるので、ウォブル信号およびウォブル付帯情報をより正確に検出することが可能な差信号を得ることができる。
【発明を実施するための最良の形態】
【００２５】
以下、本発明の実施形態について図面を参照しながら説明する。
【００２６】
《発明の実施形態１》
図１は、本発明の実施形態１に係るウォブル検出装置１００の構成を示すブロック図である。ウォブル検出装置１００は、図１に示すようにブースト回路１０１、ブースト回路１０２、自動利得調整部１０３、自動利得調整部１０４、差信号生成部１０５、ウォブル信号生成部１０６、および付帯情報生成部１０７を備えて構成されている。
【００２７】
ウォブル検出装置１００には、光ディスクのトラックに光ビームを照射した際に、一方の側端部からの第１の反射光から得られた第１の信号（以下、ＴＥ＋と記載する）、および前記トラックの他方の側端部からの第２の反射光から得られた第２の信号（以下ＴＥ−と記載する）が光ピックアップから入力されている。
【００２８】
ブースト回路１０１・１０２は、それぞれＴＥ＋およびＴＥ−のブースト量を適切な範囲とステップで調整するようになっている。
【００２９】
自動利得調整部１０３（ＡＧＣ）は、入力された信号（本実施形態ではブースト回路１０１によってブースト量が調整されたＴＥ＋）の振幅を一定の振幅に自動調整するようになっている。また、自動利得調整部１０４（ＡＧＣ）は、入力された信号（本実施形態ではブースト回路１０２によってブースト量が調整されたＴＥ−）の振幅を一定の振幅に自動調整するようになっている。
【００３０】
差信号生成部１０５は、自動利得調整部１０３を通過したＴＥ＋と自動利得調整部１０４を通過したとＴＥ−との差信号を生成するようになっている。
【００３１】
ウォブル信号生成部１０６は、前記差信号からウォブル信号を抽出するようになっている。
【００３２】
付帯情報生成部１０７は、前記差信号からウォブル付帯情報（ＡＤＩＰ：Ａｄｄｒｅｓｓ  Ｉｎ  Ｐｒｅ−Ｇｒｏｏｖｅ）を抽出するようになっている。
【００３３】
上記のウォブル検出装置１００において、図２に示すように高域成分の位相が互いに異なる信号ａ（ＴＥ＋）、および信号ｂ(ＴＥ−)が、それぞれブースト回路１０１・１０２に入力された場合の動作を説明する。
【００３４】
ブースト回路１０１・１０２は、ＴＥ＋、ＴＥ−が入力されると、それぞれに入力された信号のブースト量を調整して出力する。詳しくは、ブースト回路１０１は、信号ａのＲＦ信号の高域の周波数特性を上げて出力する。これにより、ブースト回路１０１の出力は、図２に示す信号ｅのようになる。またブースト回路１０２は、信号ｂは、そのまま出力する。この場合のブースト回路１０２の出力は、図２に示す信号ｆのようになる。すなわち信号ｆは信号ｂと同等である。以上のようにして、信号ａと信号ｂの高域の遅延差が最適に調整される。
【００３５】
ブースト回路１０１・１０２によってそれぞれブースト量が調整されたＴＥ＋とＴＥ−とは、それぞれ自動利得調整部１０３・１０４に入力される。自動利得調整部１０３・１０４は、それぞれに入力された信号の振幅を調整して出力する。
【００３６】
自動利得調整部１０３・１０４がそれぞれ出力したＴＥ＋とＴＥ−とは、差信号生成部１０５に入力される。差信号生成部１０５は、入力されたＴＥ＋とＴＥ−との差信号を生成する。この場合、差信号生成部１０５に入力されたＴＥ＋とＴＥ−とは、遅延差が小さくなるようにそれぞれのブースト量が調整され、かつ互いに振幅が揃っているので、生成された差信号は、ＲＦ残留成分のない品質の高い信号として得ることできる。この差信号は、ウォブル信号生成部１０６に入力されてウォブル信号が生成される。また、前記差信号は付帯情報生成部１０７にも入力され、ウォブル付帯情報が生成される。前記差信号はＲＦ残留成分のない品質の高い信号なので、生成されたウォブル信号とウォブル付帯情報とは、より精度が高いものとなっている。
【００３７】
上記のように本実施形態によれば、入力されたＴＥ＋とＴＥ−との遅延量、および振幅が揃えられるので、ウォブル信号およびウォブル付帯情報を精度よく検出することが可能になる。
【００３８】
《発明の実施形態２》
図３は、本発明の実施形態２に係るウォブル検出装置２００の構成を示すブロック図である。なお、以下に説明する各実施形態において、前記実施形態１等と同様の機能を有する構成要素については、同一の符号を付して説明を省略する。
【００３９】
ウォブル検出装置２００は、図３に示すように、ＴＥ＋が自動利得調整部１０３で振幅が調整されてからブースト回路１０１に入力され、ＴＥ−が自動利得調整部１０４で振幅が調整されてからブースト回路１０２に入力されている点がウォブル検出装置１００と比べて異なっている。
【００４０】
ウォブル検出装置２００では、まず入力されたＴＥ＋およびＴＥ−がそれぞれ自動利得調整部１０３および自動利得調整部１０４で振幅が調整される。そして、自動利得調整部１０３・１０４のそれぞれの出力に対して、ブースト回路１０１・１０２でブースト量が調整される。すなわち、ウォブル検出装置２００では、自動利得調整部１０３・１０４の周波数特性の差も含めてブースト量が調整される。それゆえ、本実施形態によればウォブル検出装置１００よりも、より精度よくウォブル信号およびウォブル付帯情報を検出できる差信号を得られる。
【００４１】
《発明の実施形態３》
図４は、本発明の実施形態３に係るウォブル検出装置３００の構成を示すブロック図である。ウォブル検出装置３００は、ウォブル検出装置２００にＲＦ振幅検出部３０１とブースト量調整部３０２が追加されるとともに、ブースト回路１０１に代えてブースト回路３０３、ブースト回路１０２に代えてブースト回路３０４が設けられて構成される。
【００４２】
ＲＦ振幅検出部３０１は、図２の信号（ｅ）のような波形の差信号に含まれるＲＦ残留成分の振幅を検出するようになっている。
【００４３】
ブースト量調整部３０２は、ＲＦ振幅検出部３０１が検出した振幅に応じ、ウォブル信号のジッタや付帯情報の検出率が最適になるブースト量を算出するとともに、ブースト回路３０３・３０４によるブースト量を、算出した値に設定するための制御信号を出力するようになっている。
【００４４】
ウォブル信号のジッタや付帯情報の検出率が最適になるブースト量は、通常は残留ＲＦ信号の振幅が０になるポイントがターゲットになる。しかし、光ピックアップの特性ばらつきや再生している光ディスクの状態などによって、ブースト量の最適点は変化する可能性もある。このような場合は、あらかじめ最適点とＲＦ残留成分の振幅との関係を定めたテーブルに従ってブースト量を決定するようにすればよい。また、逐次、ウォブル信号のジッタやウォブル付帯情報検出率を見ながら動作中にブースト量を変化させるようにしてもよい。なお、ブースト量調整部３０２は、例えば光ディスク再生装置におけるシステムコントローラ等が受け持つことも可能である。
【００４５】
ブースト回路３０３・３０４は、それぞれに入力された制御信号に応じて、それぞれに入力された信号のブースト量を調整するようになっている。
【００４６】
上記のウォブル検出装置３００によれば、残留ＲＦ信号の振幅をより０に近づけることが可能になる。
【００４７】
《発明の実施形態４》
図５は、本発明の実施形態４に係るウォブル検出装置４００の構成を示すブロック図である。ウォブル検出装置４００は、ウォブル検出装置３００のＲＦ振幅検出部３０１に代えて位相差検出部４０１が設けられ、さらにブースト量調整部３０２に代えてブースト量調整部４０２が設けられて構成されている。
【００４８】
位相差検出部４０１は、ブースト回路３０３の出力に含まれるＲＦ残留成分とブースト回路３０４の出力に含まれるＲＦ残留成分との位相差を検出し、位相差の大きさを示す位相差エラー信号を出力するようになっている。
【００４９】
ブースト量調整部４０２は、前記位相差エラー信号に応じて、ブースト回路３０３・３０４のブースト量を設定するための制御信号をブースト回路３０３・３０４のそれぞれに出力するようになっている。具体的には、ブースト量調整部４０２は、前記位相差エラー信号をもとに、ウォブル信号のジッタや付帯情報の検出率が最適になるようにブースト量を調整する。最適なブースト量は、通常は位相差が０になるポイントがターゲットになる。しかし、ピックアップの特性ばらつきや再生しているディスクの状態などによって最適点は変化する可能性もある。このような場合はあらかじめ最適点と前記位相差との関係を定めたテーブルに従ってブースト量を決定するようにすればよい。また、実施形態３のウォブル検出装置と同様に、逐次、ウォブル信号のジッタやウォブル付帯情報検出率を見ながら動作中にブースト量を変化させるようにしてもよい。
【００５０】
なお、本実施形態においても、ブースト量調整部４０２は、例えば、光ディスク再生装置におけるシステムコントローラ等が受け持つことも可能である。
【００５１】
上記のウォブル検出装置４００によれば、ブースト回路３０３の出力に含まれるＲＦ残留成分とブースト回路３０４に含まれるＲＦ残留成分との位相差に応じて、最適な補正量が決定されるので、ピックアップ等の個体差や動作状態に応じた適切なブースト量に調整できる。
【００５２】
《発明の実施形態５》
図６は、本発明の実施形態５に係るウォブル検出装置５００の構成を示すブロック図である。ウォブル検出装置５００は、図６に示すように、実施形態４におけるウォブル検出装置４００に対してスイッチ５０１が追加されて構成されている。また、本実施形態における位相差検出部４０１は、光ディスク装置においてＲＯＭ（Ｒｅａｄ  Ｏｎｌｙ  Ｍｅｍｏｒｙ）系ディスク再生用として本来備えている位相差検出部と兼用されている。
【００５３】
通常、再生および記録が可能な光ディスク装置においては、ＤＶＤ−ＲＯＭ（場合によってはＣＤ−ＲＯＭ）等のＲＯＭ系ディスクの再生時に、トラッキングエラーを検出するために位相差検出部を備えている。このＲＯＭ系ディスク再生用の位相差検出部は、ウォブルが存在するような記録型メディアに対しては、多くの場合使用されていない。そこで、本実施形態では、ＴＥ＋に含まれるＲＦ残留成分とＴＥ−に含まれるＲＦ残留成分との位相差検出に使用する位相差検出部と、ＲＯＭ系ディスク再生用の位相差検出部とが兼用されている。そのため、本実施形態において位相差検出部４０１は、前記位相差エラー信号をトラッキングエラー信号としても出力するようになっている。
【００５４】
スイッチ５０１は、トラッキングエラー検出用の信号を位相差検出部４０１に入力するか、ブースト回路３０３の出力とブースト回路３０４の出力とを位相差検出部４０１に入力するかを切り替えるようになっている。具体的には、ウォブル信号を検出する場合には、ブースト回路３０３の出力とブースト回路３０４の出力とが位相差検出部４０１に入力され、またトラッキングエラーを検出する場合には、ウォブル検出装置５００に入力された信号そのものが位相差検出部４０１に入力される。これは、ＲＯＭ系ディスク再生用の位相差検出部は、光ディスクから読み取られた信号そのものの位相差を検出する必要があるためである。
【００５５】
本実施形態では、上記のように位相差検出部を兼用することによって、より安価な構成で実施形態４の装置と同様の効果を得ることが可能になる。
【００５６】
《発明の実施形態６》
図７は、本発明の実施形態６に係るウォブル検出装置６００の構成を示すブロック図である。ウォブル検出装置６００は、図７に示すように、ＴＥ＋がブースト回路３０３でブースト量が調整されてから自動利得調整部１０３に入力され、ＴＥ−がブースト回路３０４でブースト量が調整されてから自動利得調整部１０４に入力されている点、また、位相差検出部４０１に入力されている点がウォブル検出装置４００と異なっている。このように、位相差検出部４０１に光ディスクから読み取られた信号そのものが入力されているのは、ＴＥ＋、およびＴＥ−に位相差が発生する要因の多くは、光ピックアップや光ピックアップからウォブル検出装置までの伝送系の周波数特性のチャネル差だからである。
【００５７】
また、本実施形態では、位相差検出部４０１は、実施形態５のウォブル検出装置５００と同様に、ＲＯＭ系ディスク再生用の位相差検出部と兼用され、位相差エラー信号をトラッキングエラー信号として出力するようになっている。
【００５８】
ウォブル検出装置６００では、差信号生成部１０５に入力される信号の位相差をフィードバックして、ブースト回路３０３・３０４のブースト量を調整することはできない。しかし、あらかじめ位相差エラー信号と、ウォブル信号のジッタや付帯情報検出率等との関係を定めたテーブルを用いてブースト量を算出するようにブースト量調整部４０２を構成することによって、ブースト回路３０３・３０４のブースト量を最適に調整することが可能である。
【００５９】
上記のように本実施形態によれば、ウォブル検出装置５００のようにスイッチ５０１を設ける必要がないので、ウォブル検出装置５００よりも、さらに安価な構成で実施形態５等の装置と同様の効果を得ることが可能になる。
【００６０】
《発明の実施形態７》
図８は、本発明の実施形態７に係るウォブル検出装置７００の構成を示すブロック図である。ウォブル検出装置７００は、図８に示すように、ウォブル検出装置４００の位相差検出部４０１に代えて位相差検出部７０１が設けられるとともに、ＲＦ振幅検出部３０１が追加されている。
【００６１】
位相差検出部７０１は、ＲＦ振幅検出部３０１が検出した振幅に応じ、位相検出レベルを変更できるように構成されるとともに、ブースト回路３０３の出力に含まれるＲＦ残留成分とブースト回路３０４の出力に含まれるＲＦ残留成分との位相差を検出し、位相差の大きさを示す位相差エラー信号を出力するようになっている。
【００６２】
これにより、前記差信号に含まれるＲＦ残留成分の振幅に基づいて位相差が検出されるので、最適な位相検出が実現できる。
【００６３】
なお、本実施形態においても、ＴＥ＋、ＴＥ−のブースト量調整は、差信号生成部１０５に入力される前の段階であればよい。例えば、自動利得調整部１０３・１０４に入力する信号に対してブースト量調整をして、自動利得調整部１０３・１０４の出力を差信号生成部１０５に入力するようにしてもよい。
【００６４】
なお、上記の各実施形態では、ブースト回路１０１・１０２は、何れか一方のみを設けるようにしてもよい。すなわち、ブースト回路は、入力されたＴＥ＋が差信号生成部１０５に至るまでの経路、および入力されたＴＥ−が差信号生成部１０５に至るまでの経路のうちの少なくとも一方の経路上に介在して、ＴＥ＋、およびＴＥ−のうちの少なくとも何れか１つの信号のブースト量を調整するように構成すればよい。
【産業上の利用可能性】
【００６５】
本発明に係るウォブル検出装置は、ウォブル信号およびウォブル付帯情報をより正確に検出することが可能な差信号を得ることができるという効果を有し、ウォブル信号およびウォブル付帯情報が形成された光ディスクにデータを記録、または前記光ディスクからデータを再生する光ディスク装置において、前記光ディスクから読み出した信号よりウォブル信号およびウォブル付帯情報を検出するウォブル検出装置等として有用である。
【図面の簡単な説明】
【００６６】
【図１】実施形態１のウォブル検出装置の構成を示すブロック図である。
【図２】ウォブル検出装置に入力される信号等の波形を示す図である。
【図３】実施形態２のウォブル検出装置の構成を示すブロック図である。
【図４】実施形態３のウォブル検出装置の構成を示すブロック図である。
【図５】実施形態４のウォブル検出装置の構成を示すブロック図である。
【図６】実施形態５のウォブル検出装置の構成を示すブロック図である。
【図７】実施形態６のウォブル検出装置の構成を示すブロック図である。
【図８】実施形態７のウォブル検出装置の構成を示すブロック図である。
【図９】記録可能な光ディスク記録面の構造を示す図である。
【符号の説明】
【００６７】
１００        ウォブル検出装置
１０１        ブースト回路
１０２        ブースト回路
１０３        自動利得調整部
１０４        自動利得調整部
１０５        差信号生成部
１０６        ウォブル信号生成部
１０７        付帯情報生成部
２００        ウォブル検出装置
３００        ウォブル検出装置
３０１        ＲＦ振幅検出部
３０２        ブースト量調整部
３０３        ブースト回路
３０４        ブースト回路
４００        ウォブル検出装置
４０１        位相差検出部
４０２        ブースト量調整部
５００        ウォブル検出装置
５０１        スイッチ
６００        ウォブル検出装置
７００        ウォブル検出装置
７０１        位相差検出部
【図１】
2007164869.tif 000003
【図２】
2007164869.tif 000004
【図３】
2007164869.tif 000005
【図４】
2007164869.tif 000006
【図５】
2007164869.tif 000007
【図６】
2007164869.tif 000008
【図７】
2007164869.tif 000009
【図８】
2007164869.tif 000010
【図９】
2007164869.tif 000011